(57)【要約】      （修正有）【課題】卓球のラケットを模した形状を用い、両手の拳に装着することによって卓球をやりながら両手で格闘技のパンチの練習ができるようにしたラケットを提供する。【解決手段】ラケット本体１ａと、ラバー８ａと、ラケット本体に結合された指を通して握るためのバンド２ａ、３ａと、ラケット本体に結合された脱落防止紐６ａ、また、バンドは、ゴム、革、布、樹脂のいずれかの一つからなり、脱着可能な結合によって長さを変えられる。また、ラケット本体の形状は、正円、楕円、角を丸めた四角形のいずれかの一つからなる。脱落防止紐の結合は、ラケット本体の結合部により結合された脱落防止紐、もしくは、ラケット本体に貫通された穴に脱落防止紐を通す結合の脱落防止紐による。【選択図】図４
0003231335.tif 000002
【実用新案登録請求の範囲】
【請求項１】
ラケット本体と、前記ラケット本体に取り付けられたラバーと、前記ラケット本体に結合された指を通して握るためのバンドと、前記ラケット本体に結合された、指を通して握るための前記バンドの結合部と、前記ラケット本体に結合された前記脱落防止紐と、前記脱落紐の結合部からなるラケット。
【請求項２】
前記バンドは、ゴム、革、布、樹脂のいずれかの一つからなる請求項１記載の前記ラケット。
【請求項３】
前記バンドは、脱着可能な結合によって長さを変えられる請求項１記載の前記ラケット。
【請求項４】
前記ラケット本体の形状は、正円、楕円、角を丸めた四角形のいずれかの一つからなる請求項１記載の前記ラケット。
【請求項５】
前記脱落防止紐の結合は、前記脱落防止紐を請求項１記載の前記ラケット本体の結合部により結合された請求項１記載の前記ラケット。
【請求項６】
前記脱落防止紐の結合は、前記脱落防止紐を請求項１記載の前記ラケット本体の貫通された穴に前記脱落防止紐を通す結合であることを特徴とする請求項１記載の前記ラケット
【請求項７】
前記ラケット本体の小口は、素地とゴム、革、布、樹脂のいずれかの一つによって覆う形状のいずれかの一つからなる請求項１記載の前記ラケット。
【考案の詳細な説明】
【技術分野】
【０００１】本考案は、卓球のラケットを模した形状を用い、両手の拳に装着することによって卓球をやりながら両手で格闘技のパンチの練習ができるようにしたラケットである。
【背景技術】
【０００２】円形ラケットの裏面にグリップを設け手のひら感覚で打てる卓球ラケットが先行技術として存在する。この技術は、手のひら側のみで使用する技術である。
【先行技術文献】
【特許文献】
【０００３】
【特許文献１】特開２０１８−０４７１９９号公報（段落０００５〜０００９、図１、図３）
【考案の概要】
【考案が解決しようとする課題】
【０００４】背景技術の円形ラケットは、次のような欠点があった。このラケットは、手のひら側のみで使用できる形状・構造であり、拳側に装着できない。本考案は、以上のような欠点をなくすためになされたものである。
【課題を解決するための手段】
【０００５】ラケット本体と、ラケット本体に取り付けられたラバーと、ラケット本体に結合された指を通して握るためのバンドと、ラケット本体に結合された、指を通して握るためのバンドの結合部と、ラケット本体に結合された脱落防止紐と、脱落紐の結合部からなるラケット。【０００６】また、バンドは、ゴム、革、布、樹脂のいずれかの一つからなるラケット本体に結合されたバンドからなるラケット。【０００７】また、ラケット本体の形状は、正円、楕円、角を丸めた四角形のいずれかの一つからなるラケット。【０００８】また、バンドは、脱着可能な結合によって長さを変えられるバンドからなるラケット。【０００９】また、脱落防止紐の結合部は、脱落防止紐をラケット本体に、結合部により結合されたラケット【００１０】また、脱落防止紐の結合部は、脱落防止紐をラケット本体の貫通された穴に、脱落防止紐を通すことにより結合されたラケット
【考案の効果】
【００１１】この考案によって、手のひら側もしくは拳側の装着が可能となり、手のひら側のみの装着という欠点を解消し、通常の卓球のみならず、パンチを繰り出すスタイルで卓球を行うことを可能にするものである。
【図面の簡単な説明】
【００１２】
【図１】図１・本考案の右手用ラケット形状を示す正面図である。
【図２】図２・本考案の右手用ラケット形状を示す背面図である。
【図３】図３・本考案の右手用ラケット形状の結合部を示す背面図である。
【図４】図４・本考案の右手用ラケット形状を示す左側面図である。
【図５】図５・本考案の右手用ラケット形状を示す平面図である。
【図６】図６・本考案の左手用ラケット形状を示す正面図である。
【図７】図７・本考案の左手用ラケット形状を示す背面図である。
【図８】図８・本考案の左手用ラケット形状の結合部を示す背面図である。
【図９】図９・本考案の左手用ラケット形状を示す左側面図である。
【図１０】図１０・本考案の左手用ラケット形状を示す平面図である。
【図１１】図１１・本考案の装着を示す側面図である。
【図１２】図１２・本考案の使用図である。
【考案を実施するための形態】
【００１３】右手用ラケットについて、表面にラバー８ａが取り付けられた正円、図は無いが楕円、図は無いが角を丸くした四角形のいずれかの一つからなるラケット本体１ａに設置された脱落防止紐６ａの輪の中に手を通し、ラケット本体１ａ裏面に接合されたバンド２ａとバンド３ａとラケット本体１ａとの間の空間７ａに親指以外の指を通し右手に装着、バンド２ａと前記のバンド３ａを握ることによって拳面の前にラケット本体１ａが配置され、パンチを繰り出す動作で卓球のボールを打つことができる形状。脱落防止紐の結合部は、ラケットのどこでもよい。ラケットの左手用についても同じ形状。
【実施例】
【００１４】以下、添付図面に従って右手用実施例を説明する。
図１は、ラケット本体１ａの表面にラバー８ａを取り付けられ、ラケット本体１ａの左側の斜め下に紐を通すために貫通された穴５ａをあけその穴に設置された脱落防止紐６ａを示す。図２は、ラケット本体１ａの裏面にバンド２ａの両端を中央より上部に結合された結合部４ａを示す。バンド３ａの両端をバンド２ａの下部に結合された結合部４ａを示す。図３は、結合部４ａの場所を示す。図４は、ラケットの左側面図である。図５は、握りやすくするためラケット１ａの裏面と結合部４ａによって結合されたバンド２ａとラケット１ａの裏面と結合部４ａによって結合されたバンド３ａの間に指を通す幅の空間７ａを設けられていることを示す。【００１５】以下、添付図面に従って左手用実施例を説明する。
図１は、ラケット本体１ｂの表面にラバー８ｂを取り付けられ、ラケット本体１ｂの右側の斜め下に紐を通すために貫通された穴５ａをあけその穴に設置された脱落防止紐６ｂを示す。図２は、ラケット本体１ｂの裏面にバンド２ｂの両端を中央より上部に結合された結合部４ｂを示す。バンド３ａの両端をバンド２ｂの下部に結合された結合部４ｂを示す。図３は、結合部４ｂの場所を示す。図４は、ラケットの左側面図である。図５は、握りやすくするためラケット１ｂの裏面と結合部４ｂによって結合されたバンド２ｂとラケット１ｂの裏面と結合部４ｂによって結合されたバンド３ａの間に指を通す幅の空間７ｂを設けられていることを示す。【００１６】図１１は、右手にラケットを装着した時の左側面を示す。図１２は、ラケットの使用方法を示す。図１１と図１２にあるように拳に装着することによってパンチを繰り出すスタイルで卓球を行うことを可能にする。
【符号の説明】
【００１７】１ａ．ラケット本体
２ａ．バンド
３ａ．バンド
４ａ．結合部
５ａ．穴
６ａ．脱落防止紐
７ａ．空間
８ａ．ラバー
１ｂ．ラケット本体
２ｂ．バンド
３ｂバンド
４ｂ．結合部
５ｂ．穴
６ｂ．脱落防止紐
７ｂ．空間
８ｂ．ラバー
【図１】
0003231335.tif 000003
【図２】
0003231335.tif 000004
【図３】
0003231335.tif 000005
【図４】
0003231335.tif 000006
【図５】
0003231335.tif 000007
【図６】
0003231335.tif 000008
【図７】
0003231335.tif 000009
【図８】
0003231335.tif 000010
【図９】
0003231335.tif 000011
【図１０】
0003231335.tif 000012
【図１１】
0003231335.tif 000013
【図１２】
0003231335.tif 000014
【手続補正書】
【提出日】令和2年12月22日(2020.12.22)
【手続補正１】
【補正対象書類名】実用新案登録請求の範囲
【補正対象項目名】全文
【補正方法】変更
【補正の内容】
【実用新案登録請求の範囲】
【請求項１】
ラケット本体と、前記ラケット本体の表面に取り付けられたラバーと、前記ラケット本体の裏面に結合され、親指以外の指を通して握るためのバンドと、前記バンドの結合部と、前記ラケット本体に結合され、手を通すための輪である脱落防止紐と、前記脱落防止紐の結合部からなる、卓球ラケット。
【請求項２】
前記バンドは、ゴム、革、布、樹脂のいずれかの一つからなる請求項１記載の卓球ラケット。
【請求項３】
前記バンドは、脱着可能な結合によって長さを変えられる請求項１記載の卓球ラケット。
【請求項４】
前記ラケット本体の形状は、正円、楕円、角を丸めた四角形のいずれかの一つからなる請求項１記載の卓球ラケット。
【請求項５】
前記脱落防止紐の結合は、前記脱落防止紐を請求項１記載の前記ラケット本体の結合部により結合された請求項１記載の卓球ラケット。
【請求項６】
前記脱落防止紐の結合は、請求項１記載の前記ラケット本体の貫通された穴に前記脱落防止紐を通す結合であることを特徴とする請求項１記載の卓球ラケット。
【請求項７】
前記ラケット本体の小口は、素地を、ゴム、革、布、樹脂のいずれかの一つによって覆う形状のいずれかの一つからなる請求項１記載の卓球ラケット。